(57)【要約】【課題】通信ネットワーク内でハンドオーバを実行するための方法を提供する。【解決手段】  本発明は、少なくとも第１の基地局と第２の基地局とを含む通信ネットワーク内でハンドオーバを実行するための方法であって、ａ）移動局が第１基地局と通信する間に移動局の地理的位置を測定するステップを有し、ｂ）地理的位置を地理的領域の位置に関する情報を含むデータと比較するステップを有し、それによって、これらの領域の信号品質が事前定義されたレベルより低いと知られ、ｃ）移動局が第１基地局のこうした領域に近いときに第２基地局へのハンドオーバを実行するステップを有する方法に関する。本発明のさらなる態様は、この方法を実施する移動局および通信ネットワーク、ならびに移動端末内のソフトウェアに関する。【選択図】図２
2006262463.tif 000002
【特許請求の範囲】
【請求項１】
少なくとも第１の基地局（２）と第２の基地局（３）とを含む通信ネットワーク（１）内でハンドオーバを実行するための方法であって、
ａ）移動局が第１基地局（２）と通信する間に移動局（４）の地理的位置（６）を測定するステップを有し、
ｂ）地理的位置を地理的領域（５）の位置に関する情報を含むデータと比較するステップを有し、それにより、こうした領域の信号品質が少なくとも１つの事前選択された基地局に関して事前定義されたレベルよりも低いと知られ、
ｃ）移動局が第１基地局のこうした領域に近いときに第２基地局へのハンドオーバを実行するステップを有する、方法。
【請求項２】
移動局が第１基地局のこうした領域に近づく場合、ステップｂ）の後に第２の基地局の信号品質に関する強化された測定が実行され、第２基地局からの信号品質がサービスを引き継ぐのに十分である場合にハンドオーバが実施されることを特徴とする請求項１に記載の方法。
【請求項３】
第１基地局および第２基地局が、特に、ＵＭＴＳシステム、ＷＩＭＡＸシステムまたはＷＬＡＮシステムを参照する、同じまたは異なる通信システム規格を満たすことを特徴とする請求項１に記載の方法。
【請求項４】
移動局がその地理的位置（６）を測定し、この情報を通信ネットワークに転送し、通信ネットワークが移動局が信号品質の低い地理的領域に近いことを決定し、移動局がこうした地域に近いときに通信ネットワークがハンドオーバを実行することを特徴とする請求項１に記載の方法。
【請求項５】
データが移動局の記憶メモリ（７）内に格納され、移動局がその地理的位置を測定し、その記憶メモリ内に格納されたデータの助けによってそれが信号品質の低い地理的領域に近いことを決定し、それがこうした領域の近づく場合に移動局が通信ネットワークからハンドオーバを要求することを特徴とする請求項１に記載の方法。
【請求項６】
移動局に格納されたデータは、事前定義された空間的な範囲の地理的エリア（８）を示し、移動局がこの地理的エリア内に位置することを特徴とする請求項４に記載の方法。
【請求項７】
データが、移動局が地理的エリアの境界（９）に到達するときに更新されることを特徴とする請求項６に記載の方法。
【請求項８】
データが、信号品質が地理的エリア内で永続的に変更されたときに更新されることを特徴とする請求項６に記載の方法
【請求項９】
その地理的位置（６）を識別するための手段（１１）と、データを記憶するための手段（７）とを有する移動局であって、
ａ）第１基地局（２）と通信する移動局（４）の地理的位置を測定するステップを実行し、
ｂ）地理的位置を、地理的領域（５）の位置に関する情報を備える記憶手段からのデータと比較するステップを実行し、それにより、こうした領域の信号品質が少なくとも１つの事前選択された基地局に関して事前定義されたレベルよりも低いと知られ、
ａ）移動局が第１基地局（２）のこうした領域に近づく場合に第２基地局へのハンドオーバを通信ネットワーク（１）から要求するステップを実行する、
コンピュータプログラムを備える移動局。
【請求項１０】
移動局が第１基地局のこうした領域に近づく場合、ステップｂ）の後に第２の基地局の信号品質に関する強化された測定が実行され、第２基地局の信号品質がサービスを引き継ぐのに十分である場合にハンドオーバが実施されることを特徴とする請求項９に記載の移動局。
【請求項１１】
ａ）地理的位置（６）と、
ｂ）前記地理的位置で移動局によって測定された信号品質と、
ｃ）基地局で送信されたパワーと、
ｄ）対応する信号がそこから受信された基地局の識別とを備えるデータを通信ネットワークに転送するように適応されることを特徴とする請求項９に記載の移動局。
【請求項１２】
データベースを作成する方法であって、
ａ）通信ネットワーク（１）の一部であるデータの格納手段（７）を提供するステップと、
ｂ）地理的位置（６）と、前記地理的位置で移動局が遭遇する信号品質と、信号品質に対応する基地局（２、３）の識別とを備える、移動局（４）から受信されるデータを追加するステップとを備える方法。
【請求項１３】
事前選択された少なくとも１つの基地局に関して事前定義されたレベルより信号品質が低い地理的領域（５）が定義され、地理的領域の位置がデータベースに追加されることを特徴とする請求項１２に記載の方法。
【請求項１４】
プログラムがロードされたときに、コンピュータに、
ａ）通信ネットワーク（１）の第１の基地局（２）と通信する移動局（４）の地理的位置（６）を測定するステップを実行させ、
ｂ）地理的位置を地理的領域（５）の位置に関する情報を備えるデータと比較するステップを実行させ、これにより、これらの領域の信号品質が少なくとも１つの事前選択された基地局に関して事前定義されたレベルより低いと知られ、
ｃ）移動局が第１基地局（２）のこうした領域に近づくときに第２基地局（３）へのハンドオーバを要求するステップを実行させる、コンピュータプログラムコード手段をそこに含むコンピュータ読取り可能媒体を備えるコンピュータプログラム製品。
【発明の詳細な説明】
【技術分野】
【０００１】
本発明は、通信ネットワークに関し、特に、無線セルラ通信ネットワークに関する。より重要には、本発明は、移動局について低い信号品質を示すと知られている領域に移動局が近づくときにハンドオーバを開始するための方法および装置に関する。本発明の達成物は、同種および異種の移動ネットワーク内の移動性管理を容易にする。
【背景技術】
【０００２】
ＧＳＭ、ＵＭＴＳまたはＷＬＡＮなどの無線アクセスネットワーク内の無線リンク品質は多くの要因に依存し、これらの要因の一部は、ネットワークオペレータによって影響を及ぼされることがほとんど可能ではない。伝送経路内の障害物に起因するマルチパス受信、および変動する大気条件は、送信信号の高い吸収、または受信信号への高い干渉の寄与につながり得るまさに２つの例である。結果として、移動局が遭遇する信号品質は、場所によって変化する。特定の基地局に接続された移動局が動き回るときに、信号品質が低い領域に突然到達し得る。この場合、データ転送速度は低下し、データパケットが失われることがあり、または接続は完全に切断され得る。ＵＭＴＳシステムではこの状況は、移動局が２つ以上の基地局またはセルとそれぞれ接続を有することを意味するマクロダイバシチによって回避され得る。
【０００３】
米国特許第６３２１０９０Ｂ１号明細書は、ハードハンドオーバを容易にするための位置検出を備えた移動通信システムを開示している。この米国特許のセルラシステムは、あちらこちらを移動する移動局の位置を決定する。それが隣接するセル間の重複の領域として定義される静的なハンドオーバ領域内に入るときに、別の基地局へのハンドオーバが開始される。
【特許文献１】米国特許第６３２１０９０Ｂ１号明細書
【発明の開示】
【課題を解決するための手段】
【０００４】
本発明の目的は、移動局によって受信される信号品質があまり明白でない地理的変化を示すことを確実にする方法および対応する装置を提供することである。
【０００５】
この目的および他の目的は、独立クレームの諸特徴によって解決される。本発明のさらなる実施形態は、従属クレームの特徴によって表される。特許請求の範囲中のいずれの参照符号も本発明の範囲を限定するものと解釈すべきでないことを強調しておく。
【０００６】
本発明の第１の態様は、少なくとも第１の基地局と第２の基地局とを含む通信ネットワーク内でハンドオーバを実行するための方法について言及する。この方法は、移動局が第１基地局と通信する間に移動局の地理的位置を測定するステップを有し、地理的位置を地理的領域の位置に関する情報を含むデータと比較するステップを有し、それにより、これらの領域の信号品質が少なくとも１つの事前選択された基地局に関して事前定義されたレベルよりも低いと知られ、移動局が第１基地局のこうした領域に近いときに第２基地局へのハンドオーバを実行するステップを有する。
【０００７】
この方法は、不満足な受信条件の少なくとも一部の原因である伝送路内の障害物が、移動局に対する基地局の位置に依存するという考えに基づく。第２の基地局へのハンドオーバが実行される場合、移動局への伝送経路は、新しい伝送経路内の他の障害物が新しい信号品質を決定するように変更される。換言すると、所与の位置における信号品質は、絶対的な量ではなく、移動局が通信する基地局の位置に依存する量である。
【０００８】
しかし、従来技術で遭遇される諸問題を回避するためには、ハンドオーバ後の信号品質は前よりも良好でなければならない。したがって、基地局によってカバーされる地理的エリアの信号品質は詳細に知られていなければならない。地理的エリアは、セルラ通信ネットワークのセルでもよい。より重要には、信号品質が事前定義されたレベルより低い、事前選択された基地局によってカバーされるこれらの地理的エリア内の領域は知られていなければならない。換言すると、事前選択された基地局に関して、低い信号品質を有する領域は知られていなければならない。
【０００９】
これらの領域が通信ネットワークの基地局について知られていれば、ハンドオーバは移動局が低い信号品質を有する領域に入る前に容易に開始されることができる。これを行うため、移動局の地理的位置、したがってそれがこうした領域に近いことが決定される。移動局が第１の基地局と通信し、第１基地局に関して低い信号品質を有するこうした領域の近くにおり、したがってこうした領域外にある場合に、前記領域内でよりよい信号品質を提供する第２の基地局が識別される。したがって、ハンドオーバは、無線リンク品質の劣化を前もって処理するように働く。
【００１０】
上述した方法は、移動局が信号品質の低い領域に入る状況によってもたらされる信号品質の低下を回避する。データ転送速度はより一定になり、データパケットの損失が低減される。さらに、接続の切断の可能性は低くなる。別の利点は、本発明が、異なる通信規格に属するネットワーク内およびその間のシームレスな移動性を容易にすることである。
【００１１】
本発明による移動局は、携帯電話、ラップトップ、ノートブック、ＰＤＡまたは類似の電子装置でもよい。
【００１２】
上述した方法が実行される少なくとも２つのやり方がある。
【００１３】
第１の代替法では移動局は、その地理的位置を測定し、通信ネットワークにこの情報を送信する。どの基地局が代わりに移動局にサービスし得るか、またこれをよい信号品質で行い得るかを知るために、移動局は、上記の情報を通信ネットワークに送信する。さらに、移動局は通信ネットワークに対して、上記の情報をサービス中のセルおよび隣るセルの信号品質の測定結果で補完し得る。通信ネットワークは、移動局が低い信号品質を有する地理的領域に近いことを決定する。最後のステップは、通信システムがこれらの地理的領域がどこに位置するかを知っていることを仮定している。移動局がこうした領域に近い場合、通信ネットワークは、移動局がそれに近いときにハンドオーバを実行する。通常これは、多数の基地局の動作を制御する基地局制御装置によって行われる。別法では、これは基地局によって行われる。
【００１４】
第２の代替法では移動局は、事前に選択された基地局に関して信号品質の低い地理的領域がどこに位置するかを知っている。対応するデータは移動局の記憶メモリ内に格納され、移動局は、その地理的位置を測定する。それは、その記憶メモリ内に格納されたデータの助けによって、低い信号品質を有する地理的領域への近接を判断する。移動局がこうした領域に近づく場合、移動局は、通信ネットワークにハンドオーバ要求を送信する。どの基地局が代わりに移動局にサービスすることができ、またこれを良好な信号品質で行い得るかを知るために、移動局はサービス中のリンクおよび隣るセルの適切なリンクに関する測定を実施することができ、これらの測定結果でハンドオーバ要求を補完し得る。次いで、ネットワークは、自動的にハンドオーバを実施し、あるいはこの要求を単に、ハンドオーバが実施されるべきかどうかの決定の１つの追加パラメータとして使用する。
【００１５】
さらに、上述した方法は、同種のネットワークおよび異種のネットワーク内で実行され得る。第１の場合では、第１基地局および第２基地局は、同じ通信ネットワーク規格を満たす。一例として両方の基地局は、ＵＭＴＳサービスを提供する。第２の場合では基地局は、それぞれ異なる通信システム規格を満たす。一例として、第１基地局はＵＭＴＳサービスを提供し、第２基地局はＷＩＭＡＸシステムまたはＷＬＡＮシステムに属する。
【００１６】
本発明による方法を実行するための上述の第２代替法では、データは、移動局の記憶メモリ内に格納される。その目的のために必要とされるメモリ空間を制限するために、移動局に格納されるデータは事前定義された空間的な広がりの地理的エリアを参照し、また移動局がこの地理的エリア内に位置することが示唆される。この地理的エリアのサイズは、使用可能なメモリ空間に応じて、より小さくにも、より大きくにもなるように選択され得る。実用的な理由から、それは、移動局が同じエリア、たとえば自宅と仕事場の間で常に使用される場合には、小さいエリアだけを参照する。メモリ空間を節約するために、移動局が使用することができる同じ無線アクセス技術を備えた基地局だけがメモリ空間内に格納され得る。地理的エリアの幾何学的な形状は、必要に応じて選択されることができ、またセルのようでもよい。
【００１７】
実用的な理由から、移動局が移動性の高い所有者によって使用される場合には、データが国全体などの大きな地理的エリアをカバーすることが望まれ得る。一方、最後の段落で説明するように、移動局は特定の領域に限定されるデータだけを格納することが望ましい。両方の必要性は、データを通信ネットワーク内に格納し、したがって移動局のデータを更新することによって達成され得る。
【００１８】
すべてのデータは、通信ネットワークの中央サーバ上にあってもよく、またはネットワークを介して多数のサーバ上に分散されてもよい。後者の場合では、それぞれのサーバは基地局制御装置と関連付けられることができ、それにより、データはそれぞれ、こうした基地局制御装置によってカバーされる地理的エリアを参照する。
【００１９】
移動局のデータ更新は、移動局が移動し、そのデータによってカバーされる地理的エリアの境界に達するので必要であり得る。
【００２０】
更新は、移動局内に格納されたデータによってカバーされる地理的エリア内で信号品質が永続的に変化したという理由からも必要であり得る。永続的な変化は、移動局の近くに位置する基地局の伝送経路内の新しい障害物に起因し得る。これらの障害物は、上述したように、信号品質を変化させる新しい建物であり得る。永続的な変化は、通信ネットワークの基盤の変化にも起因し得る。基地局のアンテナの位置は再配置されていることがあり、あるいはさらなるアンテナまたは新しい基地局／アクセスポイントが設置されていることがある。永続的な変化の場合、データは、データによってカバーされる地理的エリア内の信号品質が変化したときに更新される。これは、夜間など、信号トラフィックが低いときに行われ得る。
【００２１】
上記で述べたように、本発明による方法を実行する１つの可能性は、移動局が適切なデータを格納し、第２の基地局へのハンドオーバを要求することである。したがって、本発明の別の態様は、移動局からの要求に応じて第１の基地局から第２の基地局へのハンドオーバを実行するための手段を有する通信ネットワークである。
【００２２】
従来技術によれば、ＵＭＴＳシステムの場合、無線ネットワーク制御装置（ＲＮＣ）はハンドオーバの責任を担う。本発明を実施するため、移動局とＲＮＣの間のＲＲＣシグナリングプロトコルは拡張されなければならない。この拡張は、ＧＰＳ位置の送信、ならびに特定の期間の間に移動局内で収集されたデータ情報（ＧＰＳ位置、受信されたおよび送信されたパワー、基地局ＩＤなど）の送信を可能にする。さらに、ハンドオーバ管理（信号品質が低い地理的エリアの近くの強化された測定を求める要求）、ならびにＲＮＣ内のハンドオーバ決定機能（移動局と上述の地理的領域間の距離が考慮されなければならない）は修正されなければならない。データベースのための追加の記憶メモリが、基地局制御装置内で必要とされる。最後に比較装置（移動局位置対地理的エリアの位置）が、基地局制御装置に付加されなければならない。
【００２３】
本発明の別の態様は、移動局について言及する。移動局は、その地理的位置を識別するための手段と、データを記憶するための手段とを含む。さらに、移動局は、
ａ）第１の基地局と通信する移動局の地理的位置を測定するステップを実行し、
ｂ）該地理的位置を、地理的領域の位置に関する情報を備える記憶手段からのデータと比較するステップを実行し、それにより、こうした領域内の信号品質が、少なくとも１つの事前選択された基地局に関して事前定義されたレベルよりも低いことが知られ、
ｃ）移動局が第１基地局のこうした領域に近づく場合に通信ネットワークからハンドオーバを要求するステップを実行する、
コンピュータプログラムまたはファームウェアを有する。
【００２４】
地理的位置を識別するための多くのタイプの手段が従来技術で知られている。それらは、緯度（たとえば４８°４６’３６”）および経度（たとえば９°１０’４８”）、などの、絶対的な地理的位置をそれらが提供するときに本発明のために使用され得る。好ましい、よく知られているシステムは、全地球測位システム（ＧＰＳ）である。より高い解像度を提供するさらによいシステムは、現在Ｇａｌｉｌｅｏと呼ばれている将来の欧州全地球測位システムである。
【００２５】
上述したステップａ）、ｂ）およびｃ）は、単一のコンピュータプログラムの個々のプログラムモジュールによって実行されても、個々のプログラムによって実行されてもよいことは言うまでもない。後者の場合、これらの個々のプログラムの全体は、本発明の意味においては（単一の）コンピュータプログラムを表すことを理解されたい。
【００２６】
好ましくは、移動局が第１基地局のこうした領域に近づく場合、ステップｂ）の後に、使用可能な隣るセルに関する強化された測定を実施する。そして、それは、隣るセルの受信信号の品質がサービスを引き継ぐのに十分である場合、通信ネットワークからハンドオーバを要求し得る。
【００２７】
従来技術では、移動局は異なる基地局から受信された信号品質の測定を実施し、基地局制御装置がどの基地局がこの装置と通信すべきかを決定し得るようにこのデータを通信ネットワークに送信する。本発明によればこのデータは、測定点の地理的位置とともに、好ましくは特定の期間の間に移動局内で収集され、本発明を実行するのに必要なデータの収集のため通信ネットワークに転送される。本発明によれば以下のデータは、要求に応じて送信されることができ、またトラフィック負荷が低いときに送信され得る。
ａ）移動局によって受信されるサービス中のリンクの信号品質、
ｂ）基地局で送信されていたパワー（現在使用されている送信パワーは、ブロードキャストチャネルまたはビーコンで移動局に通信され得る）、
ｃ）信号品質が測定された地理的位置、
ｄ）移動局がそこから信号を受信し、また上記の信号品質をもたらした、基地局。
【００２８】
通信ネットワーク内のネットワークエンティティは、ある地理的位置についてすべての移動局から上記データを収集し、受信パワーと送信パワーの間の比を計算し、平均化を行う。収集されるデータは、
ａ）信号品質の平均された比の値、
ｂ）信号品質が測定された地理的位置、
ｃ）移動局がそこから信号を受信し、また上記の信号品質をもたらした、基地局、である。
【００２９】
本発明の別の態様によればこのデータは、データベースであるように構成される。データベースは、コンピュータ読取り可能媒体に格納され、最後の段落で述べるデータを備える。
【００３０】
データベースの好ましい一実施形態では、それは、特定の基地局に関して信号品質が低い領域の位置をも備える。それぞれの地理的領域は、データベースが円の中心位置、およびその直径または半径を含むように少なくとも１つの円によって近似され得る。
【００３１】
データベース作成の１つの可能性は、データの記憶手段を提供することであり、また移動局から受信されるデータを加えることによる。従来技術では移動局は、サービス中リンクの信号品質をその位置で周期的に決定する。このデータ、これらのデータを収集するときの移動局の地理的位置、ならびに信号がそこから受信され、それらの品質に関して評価された基地局の識別は、記憶手段にこのように転送される。
【００３２】
データベースが使用できることは、通信ネットワークを最適化する新しい機会をも提供する。このデータは、ネットワークのより効率的なディメンジョニングに必要なシミュレータ計算のために使用され得る。
【００３３】
本発明のこれらのおよび他の態様は、以下で述べる諸実施形態を参照して明らかであり、また明瞭にされる。参照符号の使用は、本発明の範囲を限定するものと解釈すべきでないことに留意されたい。
【発明を実施するための最良の形態】
【００３４】
図１は、従来技術による通信ネットワークを示している。ＵＭＴＳネットワーク１は、多数の基地局（ノードＢ）を備える。簡略にするため図１には、２、３および３’で表される３つの基地局だけが示されている。ＵＭＴＳネットワークは図２に示すように国全体１３をカバーしており、国１３のサービスエリアは、地理的エリア８にさらに分割される。図２で、エリア８はチェスのような構造をしており、簡略にするため、小さい部分だけが示されている。
【００３５】
移動局１４は、ノードＢ２と移動局１４の間の矢印によって示されている、ノードＢとの接続を確立している。それは、移動局１４の下の矢印によって示されるように所有者によって東向きに運ばれる。移動局１４は、その地理的位置６が識別され得るＧＰＳシステムを含む。さらに、それは、図３を参照し、データベースを備えた記憶メモリ７を含んでいる。データベースは、地理的領域５、５、５”の位置を含み、こうした領域の信号品質が、事前選択された少なくとも１つの基地局に関して事前定義されたレベルより低いと知られている。図１の例ではしたがって、データベースは、
地理的領域５の位置、およびノードＢ３との接続が存在するときにこの領域の信号品質が低いということ、
地理的領域５’の位置、およびノードＢ３’との接続が存在するときにこの領域の信号品質が低いということ、
地理的領域５”の位置、およびノードＢ２との接続が存在するときにこの領域の信号品質が低いということを知っている。
【００３６】
図１から導き出されるように、領域５、５’および５”の信号品質が低い理由は建物１２である。この建物１２は、ノードＢ３、３’および３”からそれぞれ領域５、５’および５”までの伝送経路内の障害物を表している。
【００３７】
図３は、移動局１４を概略的に示している。それは、移動局の位置を識別するため、受信された信号をＧＰＳ論理１６に送信するＧＰＳセンサ１５を備える。この情報は、記憶メモリ７内に格納されたデータベースへのアクセスを有するマイクロプロセッサ１７に転送される。データベースは、領域５、５’および５”、ならびにこれらの領域に関連するノードＢの位置の情報を含む。移動局１４は、図１で東方向に移動するときに、移動局１４がノードＢ２に接続されている場合には信号品質が低い領域５”に近づく。その結果、無線リンク品質が突然劣化し、または接続が完全に切断されるリスクがある。
【００３８】
移動局１４は、それ自体の位置６から領域５”までの最短距離を計算する。これは、常にまたは繰り返し行われ得る。それを行うためそれは、移動局１４内に格納されたデータベースからの、円および円の直径によって近似される領域５”の中心の位置を使用する。それは、領域５”に十分に近づくときに、ノードＢ３やノードＢ３’など、他のノードＢから受信される信号強度の測定を開始し、これらの測定値をハンドオーバ要求と組み合わせてノードＢ２に送信する。図４を参照し、基地局制御装置１９は、移動局１４によって要求されるようにハンドオーバを実施することを決定する。これは、基地局制御装置１９のＣＤＭＡ相互接続システム１９にそれに応じて指示するハンドオーバ装置１０によって行われる。それは、上記の測定値を考慮して、ノードＢ３へのハンドオーバを構成することを決定する。
【００３９】
移動局１４は、領域５”内に移動し得る。プリエンプティブハンドオーバのために、この領域内の信号品質は、たとえば新しい位置６’では、ハンドオーバを行わないのに比べて遥かに向上する。その理由は、領域５”が新しいノードＢ３にとって影になっている地域ではないからである。
【００４０】
図４は、基地局制御装置１９も領域５、５’および５”など、信号品質が低い領域の位置を含むデータベース２２を備え得ることを示している。この場合、移動局１４は、その関連するノードＢにその位置についてだけ知らせる。比較装置２０は、現在の位置６から領域５”など信号品質が低い領域までの最短距離を計算する。移動局が領域５”に近づく場合、基地局制御装置は、移動局にノードＢ３およびノードＢ２の信号品質の測定結果を送り届けるよう要求する。次いで、基地局制御装置１９は、信号品質が最良である隣るセルへのハンドオーバを行うことを決定し得る。
【図面の簡単な説明】
【００４１】
【図１】従来技術による通信ネットワークを示す図である。
【図２】ネットワークによってカバーされる地理的エリアを示す図である。
【図３】移動局の概略図である。
【図４】通信システムの概略図である。
【符号の説明】
【００４２】
１  通信ネットワーク
２  第１の基地局
３  第２の基地局
４  移動局
５  信号品質が低い地理的領域
６  移動局の地理的位置
７  記憶メモリ
８  地理的エリア
９  地理的エリアの境界
１０  ハンドオーバを実行するための手段
１１  位置識別手段
１２  建物
１３  国
１４  移動局
１５  ＧＰＳセンサ
１６  ＧＰＳ論理
１７  マイクロプロセッサ
１８  基地局制御装置
１９  ＣＤＭＡ相互接続システム
２０  比較装置
２１  アンテナ
２２  データベース
【図１】
2006262463.tif 000003
【図２】
2006262463.tif 000004
【図３】
2006262463.tif 000005
【図４】
2006262463.tif 000006
【外国語明細書】
2006262463.tif 000007
2006262463.tif 000008
2006262463.tif 000009
2006262463.tif 000010
2006262463.tif 000011
2006262463.tif 000012
2006262463.tif 000013
2006262463.tif 000014
2006262463.tif 000015
2006262463.tif 000016
2006262463.tif 000017
2006262463.tif 000018
2006262463.tif 000019
2006262463.tif 000020
2006262463.tif 000021
2006262463.tif 000022
2006262463.tif 000023
2006262463.tif 000024